(57)【要約】【課題】内部遅延が発生した場合であっても、それに応じた処理を行うことが可能な無線基地局装置を提供する。【解決手段】無線ネットワーク制御装置１３０より実行タイミング（ＣＦＮ＝１００）を指定されたメッセージを受信すると、無線基地局装置１２０は、ＣＰカード３１０又はＢＢカード３５０にて、受信メッセージに指定されているタイミング値を、より周期の大きい別のタイミング値（ＳＦＮ＝３５６）に変換し、そのタイミングにてＢＢカード３５０内の下位機能部（ＤＳＰ４１０）にメッセージを送信する。ＤＳＰ４１０では、実際にメッセージが到達したタイミングと、上位装置によりパラメータで指示されたタイミングとを比較することにより、メッセージが正常に到達したか、内部遅延によって指示タイミングを過ぎて到達したかを判断し、判断した到達タイミングによって、それに応じた処理を行う。【選択図】図６
2007067669.tif 000002
【特許請求の範囲】
【請求項１】
上位装置からの要求に含まれるタイミング情報を、より大きな周期を有するタイミング情報に変換して、要求された処理を行う機能部へ渡す
ことを特徴とする無線基地局装置。
【発明の詳細な説明】
【技術分野】
【０００１】
本発明は、移動通信システムにおける無線基地局装置に関し、特に、無線基地局装置におけるタイミング制御に関する。
【背景技術】
【０００２】
移動通信システムの無線基地局装置（ＢＴＳ）においては、無線ネットワーク制御装置（ＲＮＣ）等の上位装置から指示されたタイミングで所定の処理を開始しなければならないことがある。しかしながら、無線基地局装置内部の遅延により、指示されたタイミングで処理を開始できない場合がある。
【０００３】
また、３ＧＰＰ（3rd Generation Partnership Project）に規定されている無線フレーム番号であるＳＦＮ（System Frame Number）及びＣＦＮ（Cell Frame Number）はそれぞれ、４０．９６秒周期及び２．５６秒周期で、１０ｍｓ毎に更新される番号である。すなわち、ＳＦＮの取りうる値は、０〜４０９５のいずれかであり、ＣＦＮが取りうる値は、０〜２５５のいずれかである。
【０００４】
上位装置から無線基地局装置への要求には、例えば、ＣＦＮで指定されたタイミング情報が含まれる。この場合、無線基地局装置では、指定されたタイミングで要求された処理を開始する必要があるが、上位装置から要求を受信した後に、無線基地局装置内で内部遅延が発生し、要求された処理を行う機能部に当該要求が到達した時には既にＣＦＮで指定された要求タイミングが経過してしまっている場合がある。このような場合、上位装置が期待しているタイミングとは違うタイミング、例えば、１周期後の同一ＣＦＮから処理が開始されてしまい、上位装置との位相が合わなくなってしまうことがある。そのような状態になってしまうと、例えば、適切なタイミングで通話呼が設定できないために同期が取れなくなり通話呼は切断されてしまうことになる。
【特許文献１】特開２００４−８８２０６号公報
【発明の開示】
【発明が解決しようとする課題】
【０００５】
本発明の目的は、内部遅延が発生した場合であっても、それに応じた処理を行うことが可能な無線基地局装置を提供することにある。
【課題を解決するための手段】
【０００６】
本発明に係る無線基地局装置は、上位装置からの要求に含まれるタイミング情報を、より大きな周期を有するタイミング情報に変換して、要求された処理を行う機能部へ渡すことを特徴とする。
【発明の効果】
【０００７】
本発明によれば、無線基地局装置において内部遅延が発生した場合であっても、それに応じた処理を行うことが可能となる。
【発明を実施するための最良の形態】
【０００８】
以下、本発明の実施の形態について、図面を参照しつつ詳細に説明する。
【０００９】
図１は、本発明が適用される移動通信システムの構成例を示す図である。同図に示すように、本発明が適用される移動通信システム１００は、移動局装置（ＭＳ）１１０と、無線基地局装置（ＢＴＳ）１２０と、無線基地局装置１２０を制御する無線ネットワーク制御装置（ＲＮＣ）１３０とを備える。なお、無線ネットワーク制御装置１３０は、移動制御、呼制御、サービス制御を行うコアネットワーク（不図示）に接続される。
【００１０】
図２は、本発明による小型（小容量）無線基地局装置１２０の機能構成を示す図である。
【００１１】
同図に示すように、本発明による小型無線基地局装置１２０は、アンテナ２１０と、送受信増幅部（ＡＭＰ）２２０と、無線部（ＴＲＸ）２３０と、ベースバンド信号処理部（ＢＢ）２４０と、有線伝送路インタフェース部（ＨＷＹ）２５０と、制御部２６０とを備える。また、制御部２６０は、呼処理制御部（ＣＰ）２６１と、保守監視制御部（ＳＶ）２６２とを備える。
【００１２】
アンテナ２１０は、移動局装置１１０との間で無線信号を送受信するためのものであり、送受信増幅部２２０は、アンテナ２１０を介して送受信される無線信号を増幅するためのものである。
【００１３】
無線部２３０は、無線信号の送受信処理を行うものであり、例えば、ベースバンド信号処理部２４０でベースバンド拡散された送信信号をＤ／Ａ変換し、直交変調により無線周波数信号に変換して送受信増幅部２２０へ渡し、また、送受信増幅部２２０からの受信信号を準同期検波し、Ａ／Ｄ変換してベースバンド信号処理部２４０へ渡す。
【００１４】
ベースバンド信号処理部２４０は、送受信信号に対してベースバンド信号処理を行うものであり、例えば、送信信号の誤り訂正符号化、フレーム化、データ変調、拡散変調を行い、また、受信信号の逆拡散、チップ同期、誤り訂正復号、データの多重分離、セクタ間ダイバーシチハンドオーバ時の最大比合成などの信号処理を行う。
【００１５】
有線伝送路インタフェース部２５０は、無線ネットワーク制御装置１３０との間で、ＡＴＭ伝送技術等を用いて制御データおよびユーザデータの伝送を行うものである。
【００１６】
制御部２６０の呼処理制御部２６１は、無線ネットワーク制御装置１３０との間で呼処理制御信号の送受信を行い、無線回線管理、無線回線の設定解放などを行うものである。制御部２６０の保守監視制御部２６２は、装置全体の状態監視を行うものである。
【００１７】
図３は、小型無線基地局装置１２０の物理的なカード構成を示す図である。同図に示すように、小型無線基地局装置１２０は、ＣＰカード３１０、ＳＶカード３２０、ＨＷＹカード３３０、ＴＲＸカード３４０、複数のＢＢカード３５０、電源３６０、ファン３７０などを備える。
【００１８】
ＣＰカード３１０は、制御部２６０の呼処理制御部２６１の機能を実現するものであり、ＳＶカード３２０は、制御部２６０の保守監視制御部２６２の機能を実現するものである。ＨＷＹカード３３０は、有線伝送路インタフェース部２５０の機能を実現するものであり、ＴＲＸカード３４０は、無線部２３０の機能を実現するものである。ＢＢカード３５０は、ベースバンド信号処理部２４０の機能を実現するものであり、当該機能を実現するためにＤＳＰ（Digital Signal Processor）を備える。
【００１９】
なお、カード構成は、小型無線基地局装置１２０で実現すべき機能に応じて適宜変更することができる。例えば、小型無線基地局装置１２０は、ＢＢカード３５０を複数備えているが、ＢＢカード３５０の数を増やすことによって、より多くのユーザの呼を処理することが可能となる。
【００２０】
次に、以上のような構成を有する小型無線基地局装置１２０において、あるタイミングでチャネル設定の切り替えを行う場合の処理について説明する。
【００２１】
まず、比較のために、従来の方式について説明する。
【００２２】
図４及び図５は、従来の方式におけるチャネル設定の切替処理を説明するための図である。なお、以下では、ＣＦＮ＝１００のタイミングで、チャネル設定を切り替える場合について説明する。
【００２３】
図４に示すように、従来の方式では、上位装置である無線ネットワーク制御装置１３０より実行タイミング（ＣＦＮ＝１００）を指定されたメッセージを受信すると、無線基地局装置１２０においては、ＣＰカード３１０→ＢＢカード３５０→ＢＢカード３５０内の下位機能部（ＤＳＰ４１０）の順にメッセージが渡され、ＤＳＰ４１０はそのメッセージに基づいてタイミング判定を行い、切り替え処理を行う。しかし、この方法では、小型無線基地局装置１２０内で内部遅延が発生した場合に問題が生じ得る。すなわち、図５に示すように、例えば、ＢＢカード３５０で内部遅延が発生した結果、メッセージのＤＳＰ４１０への到達が、処理を開始すべきタイミング（ＣＦＮ＝１００）に間に合わなかった場合、ＤＳＰ４１０では間に合わなかったことがわからないため、１周期後の同一タイミング（ＣＦＮ＝１００）を待って処理を開始する。そのため、本来切り替えるべきタイミングからＣＦＮの１周期分ずれたタイミングでチャネル設定の切り替えが行われることとなり、位相がずれてしまい、最悪位相ずれによる切断が発生してしまう。
【００２４】
次に、このような問題を解決する本発明の方式について説明する。
【００２５】
図６は、本発明の方式におけるチャネル設定の切替処理を説明するための図である。同図に示すように、本発明の方式では、上位装置である無線ネットワーク制御装置１３０より実行タイミング（ＣＦＮ＝１００）を指定されたメッセージを受信すると、無線基地局装置１２０は、ＣＰカード３１０（呼処理機能部２６１）又はＢＢカード３５０（ベースバンド信号処理部２４０）にて、受信メッセージに指定されているタイミング値を、より周期の大きい別のタイミング値（具体的には、ＳＦＮ＝３５６）に変換し、そのタイミングにて下位機能部（ＤＳＰ４１０）にメッセージを送信する。
【００２６】
ＤＳＰ４１０は、タイミング値が変換されたメッセージを受信すると、変換後の新しいタイミングを用いて切り替え処理を行う。すなわち、まず、実際にメッセージが到達したタイミングと、上位装置によりパラメータで指示されたタイミングとを比較することにより、メッセージが正常に到達したか、内部遅延によって指示タイミングを過ぎて到達したかを判断する。具体的には、（指示ＳＦＮ−２５６）＜到達ＳＦＮ＜指示ＳＦＮの場合には、正常なタイミングで到達したと判断し、その他の場合は、内部遅延により指定のタイミングに間に合わずに到達したと判断する。そして、判断した到達タイミングによって、それに応じた処理を行う。すなわち、正常なタイミングで到達したと判断した場合は、通常通りの処理を行い、内部遅延により指定のタイミングに間に合わずに到達したと判断した場合は、指定のタイミングに間に合ったものとして、即座に処理を開始する。以上のような処理を行うことにより、無線ネットワーク制御装置１３０や移動局装置１１０と位相の合ったタイミング制御を行うことが可能となる。
【００２７】
以上説明したように、本発明によれば、カード間伝送遅延や、カード内での処理遅延により下位機能部へのメッセージ伝達が遅れた場合であっても、それに応じた処理を行うことが可能となるので、無線ネットワーク制御装置や移動局装置に対して位相ずれを起こすことがなくなり、サービスの継続が可能になる。
【図面の簡単な説明】
【００２８】
【図１】本発明が適用される移動通信システムの構成を示す図である。
【図２】本発明による小型（小容量）無線基地局装置の機能構成を示す図である。
【図３】小型無線基地局装置１２０の物理的なカード構成を示す図である。
【図４】従来の方式におけるチャネル設定の切替処理を説明するための図である。
【図５】従来の方式における内部遅延発生時のチャネル設定の切替処理を説明するための図である。
【図６】本発明の方式におけるチャネル設定の切替処理を説明するための図である。
【符号の説明】
【００２９】
１００    移動通信システム
１１０    移動局装置
１２０    無線基地局装置
１３０    無線ネットワーク制御装置
２１０    アンテナ
２２０    送受信増幅部
２３０    無線部
２４０    ベースバンド信号処理部
２５０    有線伝送路インタフェース部
２６０    制御部
２６１    呼処理制御部
２６２    保守監視制御部
３１０    ＣＰカード
３２０    ＳＶカード
３３０    ＨＷＹカード
３４０    ＴＲＸカード
３５０    ＢＢカード
３６０    電源
３７０    ファン
【図１】
2007067669.tif 000003
【図２】
2007067669.tif 000004
【図３】
2007067669.tif 000005
【図４】
2007067669.tif 000006
【図５】
2007067669.tif 000007
【図６】
2007067669.tif 000008